(57)【要約】【課題】  粘着テープホルダーに塵埃吸着手段を備えることにより粘着テープホルダーの機能増加を図る。【解決手段】  分離可能な支持体Ｃ１によって支持された粘着テープドラム１１から引き出された粘着テープは、テープカッター１ｄで切断されて本来の用途に供される。支持体Ｃ１の他の位置に設けてある第２支軸１ｆに支持された吸着ドラム７の外周部には、表面を粘着面とする塵埃吸着手段１３が設けてある。カバー５を外して吸着ドラム７を服地などの埃がついたところを押圧ながら移動させると塵埃の除去ができる。塵埃吸着手段としては吸着ドラムの外周部に粘着シートを層状に装着したものや、粘着テープドラム１１から引き出した粘着テープの粘着面を表面にした状態で、吸着ドラムに巻き付けるようにしたものなどがある。【選択図】      図２
2006176227.tif 000002
【特許請求の範囲】
【請求項１】
支持体の所定位置に設けてあり、粘着テープドラムを回転自在に支持する第１支軸と、
上記粘着テープドラムから粘着面を裏面にした状態で引き出された引き出し片を切断するために上記支持体に設けられるテープカッターと、
上記支持体の他の位置に設けられた第２支軸に回転自在に支持され、外周部に塵埃吸着手段を有する吸着ドラムと
を備え
上記吸着ドラムは外周面の少なくとも一部が塵埃吸着のために上記支持体から露出している
ことを特徴とする粘着テープホルダー。
【請求項２】
上記塵埃吸着手段は上記吸着ドラムの外周部に粘着面が表面になるように装着された１層又は複数層の粘着シートからなり、上記粘着シートには少なくとも１か所に切り込み部が幅全体に渡るように設けてあることを特徴とする請求項１に記載した粘着テープホルダー。
【請求項３】
上記第１支軸と上記第２支軸とが略平行に配され、上記塵埃吸着手段は上記粘着テープドラムから粘着面を表面にした状態で引き出された引き出し片を上記吸着ドラムに巻き付けたものであることを特徴とする請求項１に記載した粘着テープホルダー。
【請求項４】
上記粘着テープドラムから引き出された上記引き出し片を切断するための第２のテープカッターが上記支持体に設けてあることを特徴とする請求項３に記載した粘着テープホルダー。
【請求項５】
上記吸着ドラムに代えて表面に塵埃吸着手段を備えたキャタピラーが上記粘着テープドラムに近接し、かつ平行になっている部分が上記粘着テープドラムの接線とほぼ平行になるように上記支持体に設けてある
ことを特徴とする請求項１に記載した粘着テープホルダー。
【発明の詳細な説明】
【技術分野】
【０００１】
この発明はセロハンテープやメンディングテープなどの粘着テープの使用を容易化するために用いる粘着テープホルダー、特に衣服等に付着した塵埃を除去するための塵埃吸着手段を備えた粘着テープホルダーに関するものである。
【背景技術】
【０００２】
セロハンテープやメンディングテープなどの粘着テープは、一般的に粘着テープホルダー又は粘着テープディスペンサー（以下「テープホルダー」と略称する）と呼ばれるケースに回転可能に装着し、外周の端部から所望長だけ引き出して付属のカッターで切断し、貼付や紙面の補修などに用いている。テープホルダーの形状や大きさには各種のものがあるが、いずれも粘着テープの着脱手段、テープドラムの支軸及びテープカッターを備えている。最近のテープホルダーでは、カッターの前方下部に指先が進入可能な凹部を設けて粘着テープの先端部を折り返し可能としたもの（特許文献１）や、テープホルダーへのテープの着脱を容易化するとともに、ケース本体を折り畳み可能とすることにより携帯に便利なものにしたもの等が提案されている（特許文献２）。
【特許文献１】特開２００３−９５５２０号公報
【特許文献２】特開平８−２６５７５号公報
【発明の開示】
【発明が解決しようとする課題】
【０００３】
従来から数多くの形状のテープホルダーが使用されてきているが、それぞれに粘着テープの使用をするための改善の跡が見られる。しかしながら、これまでのテープホルダーは上記した粘着テープ本来の用途に対応したものであり、貼り付けるという必要性が生じなければ、テープホルダーの出番がないことになり、結局粘着テープの消費も進まないことになる。また、粘着テープを露出状態に保持した状態では老化が進み、使い切らないうちに使用不能に陥ることもあり得るし、仮に使用可能であるとしても使用困難となること稀ではない。結局、こうなると新しいものと交換せざるを得なくなり、資源の浪費につながる結果となることが多い。本発明は、テープホルダーに粘着テープ本来の用途を確保しながら、さらに別の用途にも使用可能とする機能を付加したテープホルダーを提供することにより、粘着テープの用途拡大並びに資源の有効利用に貢献しようとするものである。
【課題を解決するための手段】
【０００４】
上記の課題を解決するために、本発明に係るテープホルダーは、以下の手段を採用することにより以下の作用効果を生じるようにしたものである。このテープホルダーは、支持体に粘着テープドラムを装着するための支軸と、この粘着テープドラムから引き出された粘着テープの引き出し片を切り離すためのテープカッターとを備えている点において、公知のテープホルダーと構成が共通している。しかしながら本発明に係るテープホルダーは、既存のテープホルダーの支持体には、さらに粘着性という粘着テープと共通の性質を有する吸着ドラムを設けることにより、粘着テープドラムを収納したテープホルダーに別の機能を持たせることにより、テープホルダーの使用頻度向上を図ったものである。ここで支持体とは、粘着テープドラムや吸着ドラムを装着するためのケース体をいい、吸着ドラムとは、粘着面を対象部位に押圧することにより塵埃を除去するための塵埃吸着手段を備えたドラムをいう。また引き出し片とは、粘着テープドラムから引き出されて切り離される前の状態にある粘着テープをいう。
【０００５】
請求項１に記載した発明は、支持体の所定位置に設けてあり、粘着テープドラムを回転自在に支持する第１支軸と、上記の粘着テープドラムから粘着面を裏面にした状態で引き出された引き出し片を切断するために支持体に設けられるテープカッターと、同じく支持体の他の位置に設けられた第２支軸に回転自在に支持され、外周部に塵埃吸着手段を有する吸着ドラムとを備えたものからなる。上記の吸着ドラムは、外周面の少なくとも一部が塵埃吸着のために支持体から露出している。この発明に係るテープホルダーは、粘着テープ本来の用途の他に、外周部に備え付けられた塵埃吸着手段を机の上面や布地の表面に押圧して吸着ドラムを転がすことにより、付着している埃等を除去可能としてあるところに特徴がある。また、テープホルダー単独では携帯品として選択を躊躇するようなことも考えられるが、複数の用途を持たせることにより携帯の機会を増やし、この結果として粘着テープの使用機会も増大する働きをする。
【０００６】
請求項２に記載した発明は、請求項１に記載した発明における塵埃吸着手段について具体的に限定したものである。すなわち、塵埃吸着手段は上記の吸着ドラムの外周部に粘着面が表面になるように装着された１層又は複数層の粘着シートからなり、この粘着シートには少なくとも１か所にかつ幅全体に渡るように切り込み部が設けてある。粘着シートは使用により又は経時により機能が低下することから随時交換する必要が生じるが、１層だけの場合は、吸着ドラムを即交換する必要がある。この交換作業は面倒であるので、粘着シート数を複数層とし、それぞれに切り込みを入れ、外層から順次剥がして使用に供すればよいので便利になる。
【０００７】
請求項３に記載した発明は、支持体に粘着テープドラムを支持する第１支軸と、吸着ドラムを支持する第２支軸とを略平行に配置し、粘着テープドラムから引き出した引き出し片を、粘着面を表面にした状態で吸着ドラムに巻き付けることにより塵埃吸着手段としたものである。粘着テープを塵埃吸着手段として用いるものであり、これにより常に粘着手段を更新可能なので、剥がしたばかりで粘着機能の高い粘着面を利用可能となる。この発明は別製の粘着シートを必要としない上に、粘着テープを塵埃吸着手段としても使用するものであるので、粘着テープの需要増大につながる。
【０００８】
請求項４に記載した発明は、請求項３に記載した発明のテープホルダーに、粘着テープドラムから引き出された引き出し片を切断するための第２のテープカッターを、支持体に設けてあるところに特徴がある。第２のテープカッターは引き出し片を適宜切り離し可能とする手段であり、これにより塵埃吸着手段の更新作業を向上させることができる。
【０００９】
請求項５に記載した発明は、請求項１から請求項４でいずれも採用していた吸着ドラムに代えて、表面に塵埃吸着手段を備えたキャタピラーを採用したものである。このキャタピラーは、粘着テープドラムに近接し、かつ平行になっている部分が粘着テープドラムの接線とほぼ平行に設けてあるとともに、キャタピラーの平行になっている一方の部分が支持体から一部露出するように支持体に設けてあるところに特徴がある。キャタピラーを粘着テープドラムの接線とほぼ平行になるように支持体に配置すれば、テープホルダーの体積を減らすことができるので、コンパクト化につながるため携帯に便利となる利点がある。また、平行な部分が支持体から一部露出していることから同時に接触する面積が比較的広くなる利点がある。
【発明の効果】
【００１０】
本発明によれば、これまで粘着テープの使用を便利にするのに用いられていたテープホルダーに、塵埃吸着手段を付加することにより、テーブルや布地等の表面に付着している埃等を容易に除去することが可能となる。また、塵埃除去手段として複数層の粘着シートを吸着ドラムの外周部に装着したものを採用する場合に、少なくとも１か所に切り込みを入れておくと、剥離容易となるため粘着シートの更新が容易となる。次に、塵埃除去手段として粘着テープドラムの引き出し片の粘着面が表面になるようにした状態で、吸着ドラムの外周部に巻き付けるようにすれば、吸着ドラムに新しい粘着シートを常に補充可能となるため、吸着機能の優れた塵埃除去手段を常時用いることが可能となる。このことは、粘着テープの使用量の増加につながるとともに、粘着テープが老化する前にこれを使い切ることができる可能性が増加するので経済性に優れたものとなる。この構成を採用する場合に、支持体の第２のテープカッターを設けておけば、引き出し片を塵埃除去手段として使用する場合の吸着ドラムへの巻き付け作業を容易化できる。次に、上記の吸着ドラムに代えて、キャタピラーを用い、キャタピラーの平行になっている部分が粘着テープドラムの接線と平行になるように、これを支持体に設けると、支持体の体積を小さくできるので、全体の構成がコンパクト化するため携帯に便利となる。
【発明を実施するための最良の形態】
【００１１】
本発明の第１の形態例として図１に示すような、セロハンテープのドラムを着脱自在に装着してある粘着テープホルダーＴ１について説明する。図１は、本発明に係る粘着テープホルダー（以下「テープホルダー」と略称する）の基本形態の全体構成を斜視図で示したものである。図１の右側の部分は公知のテープホルダーに相当する部分であり、左側の部分が本発明を具現化した部分である。図１では支持体Ｃ１の右側部分に粘着テープドラム１１が第１支軸１ｂ（図４参照）に回転自在に軸支してある。具体的には、粘着テープドラム１１は、第１支軸１ｂに対して回転可能なドラム芯１１ｄと、ドラム芯１１ｄの回りに巻き付け積層させた粘着テープ本体１１ｂと、から構成してある。符号１１ａは、粘着テープ本体１１ｂから引き出されたテープ片を示している（図４参照）。引き出し片１１ａは、その粘着面が引き出し片保持部１ｃによって保持可能となっている。また、引き出し片保持部１ｃの図４に向って右方には、この引き出し片保持部１ｃに隣接してテープカッター１ｄが支持体Ｃ１に一体に設けてある。図１の左側の部分には支持体Ｃ１と一体に設けられた第２支軸１ｆに吸着ドラム７が回転自在に軸支してあり、この部分の周囲は吸着ドラムカバー（以下「カバー」と略称する）５で覆い隠し可能としてある。これは不使用時や携帯時に、これをかばん等に入れておいたとき、一緒に入れたものに貼り付かないようにするとともに塵埃吸着手段の劣化を防止する働きをする。
【００１２】
図２は、図１に示したテープホルダーＴ１の分解斜視図である。図示の通り、支持体Ｃ１は正面から見た形状が飛行機の胴体に似た細長い板状体の本支持体１と、本支持体１の右半分の形状と対称な形状の副支持体３とを組み合わせたものからなる。本支持体１は、本側板部１ａの中央部に第１支軸１ｂがこの本側板部１ａと一体に突設してある。第１支軸１ｂには、副側板部３方向に開口する空洞部１ｂ１が長さ方向に沿って設けてある。この空洞部１ｂ１は、後述の係合軸部３ｂを挿着することにより、本支持体Ｃ１と副支持体Ｃ２とを結合可能にするものであり、空洞部１ｂ１の周壁１ｂ２と係合軸部３ｂの外周面とは挿着の摩擦抵抗によって結合状態を維持可能となっている。本側板部１ａは、図２で右方に延長し、先端部近傍で上向きに湾曲し、その上端部に変形筒状の引き出し片保持部１ｃが位置している。この引き出し片保持部１ｃも第１支軸１ｂと同様に内部が緩やかなテーパー状の空洞部１ｃ１になっている。この引き出し片保持部１ｃの側部には、上述のテープカッター１ｄが位置している。本側板部１ａの上辺及び下辺部には、副支持体３方向に突き出す補強部１ｊ，１ｋを設けてある。本側板部１ａには、引き出し片１１ａの引き出し等による負荷が第１支軸１ｂを介して加えられることから、そのような負荷に耐えられるようにするためである。
【００１３】
また、本側板部１ａは、第１支軸１ｂが位置している部分のやや左側から上下辺がそれぞれ第１支軸１ｂ側を広くする小角の扇状になっており、左端部は半円状に形成してなる吸着ドラム取付部１ｅとなっている。吸着ドラム取付部１ｅの半円状になっている部分の中心部には、第２支軸１ｆが上述の第１支軸１ｂと同方向に突設してある。第２支軸１ｆの径は第１支軸１ｂの径と同程度であるが、後述のストッパ部材９を設けるための余裕をとるために長さは第１支軸１ｂの長さより少し短か目になっている。さらに、本側板部１ａにおける第１支軸１ｂと第２支軸１ｆとの中間位置には長方形に形成された仕切り板部１ｇが第１支軸１ｂと略平行となるように本側板部１ａの板面に対して直角に設けてある。この仕切り板部１ｇは、上下端部に上述のカバー５を保持するための係合片１ｈ，１ｈを備えている。各係合片１ｈは仕切り板部１ｇに第２支軸１ｆ側に向けて立設してあり、要所に係合部１ｉ，１ｉを備えている。
【００１４】
第２支軸１ｆは、後述の吸着ドラム７を回転自在に支持するものであるが、この吸着ドラム７が第２支軸１ｆから外れないようにする手段として、この第２支軸１ｆの内部に長さ方向に形成してなる空洞部１ｆ１を形成してある。空洞部１ｆ１の周壁１ｆ２は、空洞部１ｆ１内に挿着したストッパ部材９の外周面と摩擦係合させられるように形成してある。具体的には、ストッパ部材９は比較的軟質の合成樹脂材から構成してあり、いわゆるフランジ付き管に似た形状に形成してある。ストッパ部材９は、管部９ａと、管部９ａの一端側に中心を同じくして管部９ａの直径よりも大きな直径を持つ円形のフランジ部９ｂと、から構成してある。フランジ部９ｂから本側板部１ａ側に延びる管部９ａは、挿着により摩擦抵抗を生じさせるために、先端部側を挿着方向に向って少しずつ細くなるテーパーになっている。フランジ部９ｂは、空洞部１ｆ１内に管部９ａを挿着させたときに、第２支軸１ｆの端面に当接してそれ以上管部９ａを空洞部１ｆ１内に入り込ませないようにするとともに、ドラムの着脱を容易にするために着脱の際につかみ易くする役割をも果たす。ストッパ部材９は管部９ａを第２支軸１ｆの空洞部１ｆ１に挿入して押し込んだ状態の下で、摩擦抵抗により離脱しにくくなっている。
【００１５】
副支持体３は、副側板部３ａの形状が本側板部１ａに設けられた仕切り板部１ｇの第１支軸１ｂ側の部分と対応する形状に形成してあり、副側板部３ａのほぼ中央部には、これと一体に円筒状の係合軸部３ｂが、本側板部１ａに向かう方向に立設してある。この係合軸部３ｂは先端部を細くするテーパーになっており、基端部が第１支軸１ｂの空洞部１ｂ１の内側にきつく締まるように寸法調整してある。また、副側板部３ａの右端部近傍には、係合ピン部３ｃが横方向に突き出すように立設してある。係合ピン部３ｃは引き出し片保持部１ｃの空洞部１ｃ１の周壁１ｃ２に挿着可能な形状及び寸法としてあり、外周部は係合軸部３ｂと同様に挿着方向に向って少しずつ細くなるテーパーとなっている。これを空洞部１ｃ１の奥に向けて押し込むことにより、周壁１ｃ２と係合ピン部３ｃの外周面との間の摩擦抵抗によって離脱しにくくしている。副側板部３ａの上辺及び下辺には、本支持体１方向に突き出る補強部３ｄ，３ｅが形成してある。補強部３ｄ，３ｅは、係合軸部３ｂを介して加えられる負荷に対する抗力を副側板部３ａに持たせるためのものである。
【００１６】
上記の吸着ドラム７は、図２及び図３に示すように、ドラム芯７ｄと、ドラム芯７ｄに巻き付け積層した粘着シート（塵埃吸着手段）１３と、から概ね構成してある。粘着シート１３の幅及び直径は、前述した粘着テープ本体１１ｂの幅及び直径とほぼ同一に形成してある。他方、ドラム芯７ｄの内径は、第２支軸１ｆに対して簡単に回せるように第２支軸１ｆに緩く嵌る程度のものとしてある。ドラム芯７ｄの外周部には、塵埃吸着手段としての粘着シート１３が５層程の複数層に積層してある。粘着シート１３は、粘着面を表面にしたものをドラム芯７ｄの外周部に複数枚重ねて巻き付けた状態で積層してある。この粘着シート１３は、重複使用又は経時により粘着機能が低下した場合には順次剥離可能としてある。粘着シート１３には、剥離を容易にするための手段として、少なくとも１か所に切り込み部１３ａ，・・が幅全体に渡るように設けてある。この切り込み部１３ａは、これを基点として剥がしやすくするためのもので、切り込み部１３ａの数は、吸着ドラム７の直径などを考慮して決めるとよい。
【００１７】
吸着ドラム７を覆うカバー５は、半円と四角形とを合体させたような形状の側板５ｄ，５ｅと、対向する側板５ｄと側板５ｅとの間に配した湾曲連結板５ｆと、により構成してあり、第２支軸１ｆ方向に開口させ吸着ドラム７と接触せずに吸着ドラム７を被覆可能に構成してある。側板５ｄには、凹部５ａを形成してある。凹部５ａは、吸着ドラム７を被覆したときに吸着ドラム取付部１ｅを受け入れるための切欠であって、受け入れたときに吸着ドラム取付部１ｅと側板５ｄとが隙間なくほぼ一体化するように吸着ドラム取付部１ｅより僅かに大きな相似形に形成してある。また、カバー５の入り口部近傍の上下に位置する板面には、本支持体１側の係合部１ｉ，１ｉと係合可能な係合部５ｂ，５ｂが設けてある。カバー５の取り付けは、カバー５の凹部５ａを吸着ドラム取付部１ｅに沿って近づけ、各係合部１ｉ，５ｂを互いに係合させることにより固定する。
【００１８】
図４は、これまで説明してきたテープホルダーＴ１の正面の状態を示すものであり、同図（ａ）は、吸着ドラム７にカバー５を被せようとしている状態を示している。同図（ｂ）は、吸着ドラム７を使用しないときに粘着テープの使用に備え、あるいは保管や携帯に対応する状態になっていることを示している。また、図５はテープホルダーＴ１の平面の状態を示している。
【００１９】
このテープホルダーＴ１は、通常はこれまでのテープホルダーと同様に粘着テープを粘着テープドラム１１から引き出し、引き出し片保持部１ｃに粘着面を押し付けた後テープカッター１ｄで切り離して貼付などの用途に供される。テーブルの上面や服地などに埃が溜まっていてこれを取り除こうとするような場合にはカバー５を取り外し、吸着ドラム７を、被対象位置に押し付けながら転動させる。これにより、埃などを吸着して転がした跡をきれいにする。粘着シート１３の粘着機能が低下したら、粘着シート１３の最上層のものを剥がし、次層の粘着シートの粘着面を露出させる。埃等の吸着作業が終了したらカバー５を被せ、図４（ｂ）に示すような状態にして通常の粘着テープの使用や携帯に備える。勿論、頻繁に使用するような場合は、カバーを外したままにして使用することも可能である。
【００２０】
次に、本発明の第２の形態例としてのテープホルダーについて説明する。図６及び図７に示すように、このテープホルダーＴ２は、吸着ドラム３７の塵埃吸着手段として粘着テープの引き出し片そのものを使用するようにしたものである。テープホルダーＴ２の全体の構成は、上述のテープホルダーＴ１と共通するものが多い。しかし、吸着ドラム３７は、常に粘着シートを備えているのではなく、必要なときに粘着シートを貼り付けて使用することになっている。この場合における粘着シートは、次に述べるように、粘着シートを流用したものである。すなわち、テープホルダーＴ２は、引き出し片４１ａをテープカッター３１ｄとは反対方向、すなわち、吸着ドラム７方向に引き出し、テープの粘着面を表面（上向き）にした状態で、第２支軸３１ｆに支持された吸着ドラム３７の外周部に巻き付けることにより塵埃吸着手段４３としたものである。上述したように、これは既存の粘着テープを塵埃吸着手段として利用するもので、第１の形態例のように吸着ドラムに粘着シートを貼り付けたものを特別に用意する必要がなく、コスト的に有利な上に常に新しい粘着面を吸着手段として使用できる利点がある。さらに、テープホルダーＴ２によれば、粘着シートは必要に応じて引き出し、そして、貼り付けるようにする、という使い方ができる。このため、粘着シートを使う必要がないときは、吸着ドラム３７に粘着シートを貼り付けず必要なときだけ貼り付けるようにすれば、粘着シートを覆うカバー等を設ける必要がない。また、貼り付いていたなら、貼り付いている粘着シートを取り外してしまうようにすれば、たとえば、ポケットやカバンの中に入れておいても、一緒に入れてあるものに粘着してしまうような不都合を避けることができる。
【００２１】
上述の通り、このテープホルダーＴ２のその他の構成は、既述のテープホルダーＴ１と同様であるので、ここでは塵埃吸着手段の違いに起因して構成が変化するものについてのみ説明する。本支持体３１と副支持体３３からなる支持体Ｃ２に設けられた第１支軸３１ｂに粘着テープドラム４１が軸支してあり、本支持体３１に設けてある第２支軸３１ｆには、吸着ドラム３７が回転自在に軸支してあることについては、上述のテープホルダーＴ１と同様である。本側板部３１ａに直角に立設された仕切り板部３１ｇの上端には、第２のテープカッター４５が設けてあり、このテープカッター４５と粘着テープドラム４１の外周部近傍の中間位置には、テープガイド４７が第１支軸３１ｂと平行に設けてある。テープガイド４７は、引き出し片４１ａを塵埃除去手段として使用する場合に、粘着面を表面にして引き出し片４１ａの非粘着面（平滑面）側を受けて第２のテープカッター４５との接触を避ける働きをする。
【００２２】
吸着ドラム３７は、第１支軸３１ｂと平行に支持体Ｃ２に設けてある第２支軸３１ｆに回転自在に軸支してある。この吸着ドラム３７の外周部には、塵埃吸着手段４３を装着可能となっている。この吸着ドラム３７には、後述の引き出し片４１ａの先端部を保持するためのテープ保持手段を備えている。テープ保持手段としては、ここでは３通りのものを採用することを予定している。その第１例は、図８（ａ）に示すように、吸着ドラム３７の外周面を平滑にして引き出し片４１ａの粘着面が貼り付きやすくし、この面に引き出し片４１ａの粘着面を貼り付けテープ保持手段とするものである。このテープ保持手段は、引き出し片４１ａの先端部近傍を非粘着面側に折り返し、折り返した部分の粘着面を吸着ドラム３７の外周部の任意位置に貼り付けて貼付部４１ｂとしたものである。このテープ保持手段により引き出し片４１ａを吸着ドラム３７の外周部に保持し、これを基点として引き出し片４１ａを吸着ドラム３７の周囲全体に巻き付けるようにして塵埃吸着手段４３とする。構成が極めて簡単であり、コスト低減上有利なものである。
【００２３】
第２例は、図８（ｂ）に示すように、テープ保持手段として、吸着ドラム３７の外周部に引き出し片４１ａよりもやや厚手の粘着テープ片４２を採用したものである。図８（ｂ）に示す符号４２ａは粘着テープ片４２の折り返していない部分（貼付部）を示し、同じく符号４２ｂは粘着テープ片４２の折り返した部分（折り返し部）を示している。貼付部４２ａは、引き出し片４１ａを吸着ドラム３７の外周部に巻き付ける際における回転方向の前方側に貼付し、折り返し部４２ｂを吸着ドラム３７に対して粘着テープドラム１１側になるように、吸着ドラム３７の外周部に取り付けることによりテープ保持手段としたものである。これを用いて粘着テープ片４１ａを吸着ドラム３７に巻き込む場合には、粘着面が上になった引き出し片４１ａの先端部を、折り返し部４２ｂと吸着ドラム３７の外周部との間に進入させ、折り返し部４２ｂをドラム側に押し付けると、引き出し片４１ａは、この折り返し部４２ｂに粘着することにより吸着ドラム３７の外周部に保持される。こうしてこの保持手段を基点として、引き出し片４１ａを吸着ドラム３７の周囲全体に巻き付け可能とすることにより塵埃吸着手段４３とするものである。
【００２４】
第３例は、図８（ｃ）に示すように、テープ保持手段として、両開放端を内側に折り曲げた下向きコの字に類似する形状のテープ押さえ金具５２を採用し、これを粘着ドラム３７のリング状部分３７ａを外側から抱き込むように取り付け、吸着ドラム３７の外周部との対向部５２ａが、吸着ドラム３７の外周部に対して進退可能としたものを採用してある。この場合、引き出し片４１ａを吸着ドラム３７の外周部と、この対向部５２ａとの間に生じた隙間に挿入し、この対向部５２ａを吸着ドラム３７側に押し付けることにより対向部５２ａに粘着させる。この後、吸着ドラム３７を１周させ、引き出し片４１ａを粘着面が表面になる状態で、外周部全体に巻き付けることにより塵埃吸着手段４３が構成される。
【００２５】
このテープホルダーＴ２を、衣服等に付着した塵埃を除去するために使用する場合には、これまではテープの通常使用のためにテープカッター側に引き出されていた引き出し片４１ａを逆方向に方向転換させ、その先端部を上述のテープ保持手段の何れかのテープ保持手段に保持させる。次に、引き出し片４１ａを吸着ドラム３７に１回転分だけ巻き取り、第２のテープカッター４５で切断し、切り離されたテープ片を塵埃吸着手段４３とするものである。なお、図６、図７にはカバーを図示していないが、このテープホルダーＴ２を携帯用とするものについては、塵埃吸着手段４３がついたままの状態になっていることがあることからカバーを被せるようにすることが望ましい。
【００２６】
次に、本発明の第３の形態例としてのテープホルダーについて説明する。このテープホルダーＴ３は、これまで用いていた吸着ドラムに代えて、表面に塵埃吸着手段を備えたキャタピラーを採用したものである。このテープホルダーＴ３の構成は、図９に示すように、支持体Ｃ３の後端部（図９左側）に、キャタピラー５７の平行になっている部分の一方が支持体Ｃ３から一部露出するように設けてある。このキャタピラー５７は、帯状の厚ゴム板をリング状にしたものからなり、支持体Ｃ３に設けられた１対の支持ピン５９，５９にベアリング５７ａ，５７ａを介して回動自在に掛け回してある。キャタピラー５７の表面には、図示していないが、第１の形態例及び第２の形態例で説明したものと同様の塵埃吸着手段６３を備えている。したがって、塵埃吸着手段の種類によって第１の形態例又は第２の形態例と同様の機能を有するものとすることができる。
【００２７】
図９では、キャタピラー５７を支持体Ｃ３の最後部（左端部）に位置するように設けてあるが、この設置位置は、この他にキャタピラーの平行部を粘着テープドラム６１の接線と平行する位置に設けるようにしてもよい。すなわち、図９に示す状態からキャタピラーを粘着テープドラム６１の中心を回転中心とし、平行になっている部分が粘着テープドラム６１の接線と平行になる状態を維持しながら時計回り方向に回転移動させる。これにより、キャタピラー５７の上端部が、粘着テープドラム６１の外周部に接近した状態となるので、支持体をこれに対応する形状にすれば、正面から見た全体の大きさを小さくすることができる。また、第２の形態例のように、テープの引き出し片を塵埃吸着手段として採用するものにあっては、キャタピラーの上端部が粘着テープドラム６１の外周上部に接近した位置になるので、引き出し片の長さを短くできる効果もある。
【００２８】
以上の説明は、直径が比較的小さい粘着テープドラムを備えたテープホルダーを対象として説明しているが、本発明はテープドラムの直径が大きいものについてももちろん適用可能である。この場合には、支持体の形状や吸着ドラム等の位置も変わるが、いずれの形態例においてもそれぞれの機能を発揮可能である。また、粘着テープとしては、ここではセロハンテープを対象としているが、メンディングテープその他のテープについても適用可能である。
【産業上の利用可能性】
【００２９】
本発明は、物品の構成に関するものであり、発明の実施は即産業の発達に寄与するもので十分に産業上の利用可能性を有する。
【図面の簡単な説明】
【００３０】
【図１】第１の形態例におけるテープホルダーの全体構成を示す斜視図である。
【図２】図１に示すテープホルダーの分解斜視図である。
【図３】第１の形態例の吸着ドラム及び塵埃吸着手段を示す斜視図である。
【図４】第１の形態例の全体構成を示す正面図であり、（ａ）はカバーを被せる直前の状態を示しており、（ｂ）は通常の状態を示している。
【図５】第１の形態例の全体構成を示す平面図である。
【図６】第２の形態例におけるテープホルダーの全体構成を示す斜視図である。
【図７】図６の前面側に位置する要素を除去して示した正面図である。
【図８】第２の形態例における塵埃吸着手段についての説明図であり、（ａ）は第１例、（ｂ）は第２例、（ｃ）は第３例を示す。
【図９】第３の形態例の全体構成を示す正面図である。
【符号の説明】
【００３１】
Ｔ１，Ｔ２，Ｔ３        粘着テープホルダー
Ｃ１，Ｃ２，Ｃ３        支持体
１ｂ，３１ｂ，５１ｂ    第１支軸
１ｄ，３１ｄ，５１ｄ    テープカッター
１ｆ，３１ｆ            第２支軸
７，３７                吸着ドラム
１１，４１，６１        粘着テープドラム
１１ａ，４１ａ          引き出し片
１３                    粘着シート（塵埃吸着手段）
４３，６３              塵埃吸着手段
１３ａ                  切り込み部
４５                    第２のテープカッター
５７                    キャタピラー
【図１】
2006176227.tif 000003
【図２】
2006176227.tif 000004
【図３】
2006176227.tif 000005
【図４】
2006176227.tif 000006
【図５】
2006176227.tif 000007
【図６】
2006176227.tif 000008
【図７】
2006176227.tif 000009
【図８】
2006176227.tif 000010
【図９】
2006176227.tif 000011